(57)【要約】      （修正有）【課題】繰り返し使用することができるファスナ。【解決手段】第１部材３１と第２部材３２とを重なり合った状態に保つことができるファスナ１が軸部２と拡径部３とを有する。拡径部３は、第１ばね２９の付勢下に往復運動可能なカム部材８を有する。軸部２は第１部材３１の第１透孔３１ａと第２部材３２の第２透孔３２ａとに挿通可能であって、往復旋回運動可能な第１旋回子１５と第２旋回子１６とを有する。第１旋回子１５は、ばね２７の付勢下に時計方向Ｃ１へ旋回してカム部材８に当接可能な第１カムフォロワー部１５ｂと第２透孔３２ａの周縁部に当接可能な第１ストッパー部１５ａとを有する。【選択図】図６
2014081031.tif 000002
【特許請求の範囲】
【請求項１】
第１部材に形成された第１透孔と、第２部材に形成された第２透孔とに挿通されて前記第１部材と前記第２部材とを重なり合った状態に保つことができ、互いに直交する長さ方向と径方向とを有するファスナであって、
前記ファスナは、前記長さ方向へ延びていて前記第１透孔から前記第２透孔へ挿通される軸部と、前記軸部の一端部にあって前記軸部の径よりも径が大きい拡径部とを有し、
前記拡径部は、第１ばねの付勢下に前記拡径部から前記長さ方向へ延出していて、前記長さ方向において往復運動可能なカム部材を有し、
前記軸部は、前記一端部に対する対向端部において前記軸部の径方向へ延びる支軸を中心に往復旋回運動可能な第１旋回子と第２旋回子とを有し、
前記第１旋回子は、第２ばねの付勢下に時計方向へ旋回して前記カム部材に当接可能な第１カムフォロワー部と前記第２部材における前記第２透孔の周縁部に当接可能な第１ストッパー部とを有し、前記第２旋回子は、第３ばねの付勢下に反時計方向へ旋回して前記カム部材に当接可能な第２カムフォロワー部と前記第２部材における前記第２透孔の周縁部に当接可能な第２ストッパー部とを有し、
前記カム部材が前記第１ばねの付勢に抗して前記長さ方向へ移動すると、前記カム部材が前記第１カムフォロワー部を押圧して前記第１旋回子が反時計方向に旋回するとともに、前記カム部材が前記第２カムフォロワー部を押圧して前記第２旋回子が前記時計方向に旋回し、前記第１，第２透孔に挿通されていた前記軸部は、前記第１，第２ストッパー部それぞれが前記第２透孔の前記周縁部に対する当接を解除され、前記第１，第２透孔からの抜脱が可能になることを特徴とする前記ファスナ。
【請求項２】
前記第１ばねが１個または２個以上のコイルばねで形成されている請求項１記載のファスナ。
【請求項３】
前記第２，第３ばねが、１個のトーションばねによって提供される請求項１または２記載のファスナ。
【請求項４】
前記軸部が角筒状のものである請求項１〜３のいずれかに記載のファスナ。
【請求項５】
前記第１，第２旋回子が板状の部材であって、前記部材の板面が対向するように前記軸部の内側に配置されている請求項４記載のファスナ。
【請求項６】
前記反時計方向に旋回した前記第１旋回子および前記時計方向に旋回した前記第２旋回子を前記軸部の内側に収納可能である請求項４または５記載のファスナ。
【請求項７】
前記拡径部における前記径方向の両側それぞれの周面には凹部が形成されていて、前記第１部材における前記第１透孔の周縁部に形成された起立部を前記凹部に収容可能である請求項１〜６のいずれかに記載のファスナ。
【発明の詳細な説明】
【技術分野】
【０００１】
この発明は、少なくとも二つの部材を重なり合った状態に保つことのできるファスナに関する。
【背景技術】
【０００２】
二つの部材、例えば二つの板状の部材それぞれに形成された透孔にファスナを挿通して、それら二つの部材を重なり合った状態に保つことのできるファスナは周知である。
【０００３】
例えば、特開平８−３３４１０９号公報（特許文献１）に記載のクリップは、この種のファスナの一つであって、クリップ本体とピンとを有している。重ね合せようとする二つの部材それぞれに形成された透孔にクリップ本体を挿通した後に、クリップ本体に対してピンを圧入すると、クリップ本体の脚部の先端側の径が拡大して、透孔からのクリップ本体の抜脱が不能となることによって二つの部材を重ね合せた状態に保つことができる。
【０００４】
また、特開２０１１−９４６３６号公報（特許文献２）に記載のファスナは、円筒状部材と、円筒状部材に挿入されたピン部材とを有する。重ね合せようとする二つの部材のうちの一方の部材に形成されている透孔にその一方の部材の表面側から円筒状部材を挿入すると、円筒状部材において径方向の外側へ延びる弾性変形可能なストッパ部が一方の部材における透孔の周縁部にその一方の部材の裏面側から当接して、円筒状部材が一方の部材から抜け落ちることを防ぐことができる。
【先行技術文献】
【特許文献】
【０００５】
【特許文献１】特開平８−３３４１０９号公報
【特許文献２】特開２０１１−９４６３６号公報
【発明の概要】
【発明が解決しようとする課題】
【０００６】
前記従来のクリップは、二つの部材を重ね合せた状態に保つことはできるのだが、重ね合わせた状態にある二つの部材から抜き取ることができない。したがって、このクリップは、繰り返し使用することができない。
【０００７】
また、前記従来のファスナは、一方の部材の透孔に挿入した円筒状部材をその透孔から抜き取って再度使用することが不可能ではないにしても、抜き取ることを容易にする手段を有するものではない。したがって、このファスナもまた、実質的な意味において、繰り返し使用することができるとはいい難い。
そこで、この発明は、従来のファスナに対して、それを繰り返し使用することができるように改良を施すことを課題にしている。
【課題を解決するための手段】
【０００８】
前記課題を解決するために、この発明が対象とするのは、第１部材に形成された第１透孔と、第２部材に形成された第２透孔とに挿通されて前記第１部材と前記第２部材とを重なり合った状態に保つことができ、互いに直交する長さ方向と径方向とを有するファスナである。
【０００９】
このファスナにおいて、この発明が特徴とするところは、以下のとおりである。すなわち、前記ファスナは、前記長さ方向へ延びていて前記第１透孔から前記第２透孔へ挿通される軸部と、前記軸部の一端部にあって前記軸部の径よりも径が大きい拡径部とを有する。前記拡径部は、第１ばねの付勢下に前記拡径部から前記長さ方向へ延出していて、前記長さ方向において往復運動可能なカム部材を有する。前記軸部は、前記一端部に対する対向端部において前記軸部の径方向へ延びる支軸を中心に往復旋回運動可能な第１旋回子と第２旋回子とを有する。前記第１旋回子は、第２ばねの付勢下に時計方向へ旋回して前記カム部材に当接可能な第１カムフォロワー部と前記第２部材における前記第２透孔の周縁部に当接可能な第１ストッパー部とを有し、前記第２旋回子は、第３ばねの付勢下に反時計方向へ旋回して前記カム部材に当接可能な第２カムフォロワー部と前記第２部材における前記第２透孔の周縁部に当接可能な第２ストッパー部とを有する。前記カム部材は、前記第１ばねの付勢に抗して前記長さ方向へ移動すると、前記カム部材が前記第１カムフォロワー部を押圧して前記第１旋回子が反時計方向に旋回するとともに、前記カム部材が前記第２カムフォロワー部を押圧して前記第２旋回子が前記時計方向に旋回し、前記第１，第２透孔に挿通されていた前記軸部は、前記第１，第２ストッパー部それぞれが前記第２透孔の前記周縁部に対する当接を解除され、前記第１，第２透孔からの抜脱が可能になる。
【００１０】
この発明の実施態様の一つにおいて、前記第１ばねが１個または２個以上のコイルばねで形成されている。
【００１１】
この発明の実施態様の一つにおいて、前記第２，第３ばねが、１個のトーションばねによって提供される。
【００１２】
この発明の実施態様の一つにおいて、前記軸部が角筒状のものである。
【００１３】
この発明の実施態様の一つにおいて、前記第１，第２旋回子が板状の部材であって、前記部材の板面が対向するように前記軸部の内側に配置されている。
【００１４】
この発明の実施態様の一つにおいて、前記反時計方向に旋回した前記第１旋回子および前記時計方向に旋回した前記第２旋回子を前記軸部の内側に収納可能である。
【００１５】
この発明の実施態様の一つにおいて、前記拡径部における前記径方向の両側それぞれの周面には凹部が形成されていて、前記第１部材における前記第１透孔の周縁部に形成された起立部を前記凹部に収容可能である。
【発明の効果】
【００１６】
この発明に係るファスナは、それに形成された軸部が第１部材の第１透孔と第２部材の第２透孔とに挿通されているときに、拡径部におけるカム部材を第１ばねの付勢に抗して長さ方向へ移動させると、第１カムフォロワー部を有する第１旋回子が反時計方向に旋回する一方、第２カムフォロワー部を有する第２旋回子が時計方向へ旋回して、第１旋回子における第１ストッパー部と第２旋回子における第２ストッパー部との第２部材に対する当接が解除される。そのときの軸部は第１透孔と第２透孔とから抜き取ることができるので、軸部を抜き取った後のファスナは繰り返し使用することができる。
【図面の簡単な説明】
【００１７】
【図１】使用状態にあるファスナの正面図。
【図２】ファスナの左側面部を示す斜視図。
【図３】ファスナの右側面部を示す斜視図。
【図４】図１のＩＶ−ＩＶ線断面図。
【図５】図１のＶ−Ｖ線断面図。
【図６】図２のＶＩ−ＶＩ線断面図。
【図７】図２のＶＩＩ−ＶＩＩ線断面図。
【図８】ファスナの使用態様の一例を示す図４と同様な図。
【発明を実施するための形態】
【００１８】
添付の図面を参照して、この発明に係るファスナの詳細を説明すると以下のとおりである。
【００１９】
ファスナ１の使用態様を示す図１には、ファスナ１と、板状の第１，第２部材３１，３２それぞれの一部分とが示されている。第１，第２部材３１，３２は、ファスナ１によって互いに重なり合う状態に保たれている。
【００２０】
その図１において、ファスナ１は長さ方向Ａと、長さ方向Ａに直交する径方向Ｂとを有する。ただし、この発明において、長さ方向Ａを上下方向Ａという場合がある。ファスナ１はまた、図１の正面図において長さ方向Ａへ延びる軸部２と、軸部２の上端部４の上方に位置していて径方向Ｂの寸法が軸部２のそれよりも大きい拡径部３とを有する。軸部２は、角筒状のものであって、正面部１０と、右側面部１１と、左側面部１２と、背面部１４（図２参照）とを有し、正面部１０の下端部６には長さ方向Ａに直交するとともに軸部２を貫通して延びる支軸７を有する。軸部２の右側面部１１と左側面部１２とからは、第１旋回子１５と第２旋回子１６との一部分である第１ストッパー部１５ａと第２ストッパー部１６ａとが突出している。拡径部３は、径方向Ｂの中央部に長さ方向Ａにおいて往復運動可能な押しボタン式のカム部材８を有する。拡径部３はまた、その周面３ａに凹部９を有し、その凹部９には拡径部３を貫通するストッパーピン１７の一端部が見えている。
【００２１】
第１部材３１と第２部材３２とは、ファスナ１の軸部２を挿通するための第１透孔３１ａと第２透孔３２ａとのそれぞれを有する。第１透孔３１ａの径は、拡径部３の下端部分３ｂの径よりも小さく、また第２透孔３２ａは、第２透孔３２ａの周縁部に対して軸部２における第１，第２ストッパー部１５ａ，１６ａが当接し得るように形成されている。これら第１部材３１と第２部材３２とは、第１，第２透孔３１ａ，３２ａに挿通したファスナ１の軸部２における第１，第２ストッパー部１５ａ，１６ａと拡径部３の下端部分３ｂとによって、互いに重なり合うように挟持されている。
【００２２】
図２において、ファスナ１の軸部２における左側面部１２には、軸部２の内側に通じる第２スリット１２ａが形成され、その第２スリット１２ａには、第２旋回子１６の第２ストッパー部１６ａが納まっている。第２スリット１２ａは、軸部２の全長にわたって長さ方向Ａへ延びている。
【００２３】
図３において、ファスナ１の軸部２における右側面部１１は左側面部１２に並行するものであって、その右側面部１１には軸部２の内側に通じる第１スリット１１ａが形成され、その第１スリット１１ａには第１旋回子１５の第１ストッパー部１５ａが納まっている。第１スリット１１ａは、軸部２の全長にわたって長さ方向Ａへ延びている。図３に明示されてはいないが、背面部１４における軸部２の形状と、背面部１４の上方における拡径部３の背面の形状とは、図１の正面図における軸部２と拡径部３との形状に同じである。
【００２４】
図４，５において、軸部２と拡径部３との内側には長さ方向Ａに延びる貫通孔２６が形成されている。その貫通孔２６の内側では、貫通孔２６を横断して径方向Ｂへ延びる支軸７に対して、第１旋回子１５と第２旋回子１６とが旋回可能に取り付けられ、第１旋回子１５と第２旋回子１６との間には、この発明においての第２，第３ばねを兼ねるトーションばね２７が取り付けられている。トーションばね２７は、長さ方向Ａへ延びる第１端部２７ａと第２端部２７ｂとを有する。第１端部２７ａは、第１旋回子１５に圧接して、第１旋回子１５を図１において時計方向Ｃ１へ旋回するように付勢している。第２端部２７ｂは、第２旋回子１６に圧接して、第２旋回子１６を図１において反時計方向Ｃ２へ旋回するように付勢している
【００２５】
貫通孔２６の内側ではまた、支軸７と平行に延びるストッパーピン１７がカム部材８に形成されている開孔形状が長円形の横孔２８（図６参照）を貫通している。貫通孔２６における長さ方向Ａの中間部分には、軸部２における右側面部１１と左側面部１２とをつなぐように延びる連結部２５が形成されている。連結部２５とカム部材８との間には、この発明においての第１ばねであるコイルばね２９が介在し、カム部材８を矢印Ａ１で示す上下方向Ａの上方に向かって付勢している。付勢されたカム部材８は、貫通孔２６の内面を摺動して上昇し、頂部８ａが拡径部３の上方Ａ１に向かって突出している。カム部材８のかかる上昇は、カム部材８における横孔２８の下方部分２８ｂがストッパーピン１７に当接することによって停止する（図６参照）。図４，５の状態にあるカム部材８は、コイルばね２９の付勢に抗するように図の上下方向Ａの下方Ａ２に向かって押圧されると、貫通孔２６の内面を摺動して下降し、ストッパーピン１７がカム部材８における横孔２８の上方部分２８ａに当接することによって停止する（図６参照）。なお、図４において、拡径部３には、径方向Ｂの両側それぞれの周面３ａに凹部９が形成されている。
【００２６】
図６は、図２のＶＩ−ＶＩ線断面図であって、第１旋回子１５の全体形状が見えている。図6において、第１旋回子１５は、板状のものであって、下端部分３３ｆと上端部分３４ｆとを有し、下端部分３３ｆに挿通された支軸７を中心に時計方向Ｃ１と反時計方向Ｃ２とに旋回可能な状態にある。上端部分３４ｆには時計方向Ｃ１に向かって下り勾配となる第１ストッパー部１５ａと第１カムフォロワー部１５ｂとが形成されている。第１ストッパー部１５ａは軸部２の内側から第１スリット１１ａを通って軸部２の外側へ突出していて、第２部材３２に上下方向Ａの下方から当接している。第１旋回子１５にはまた、下端部分３３ｆと上端部分３４ｆとの間に延びる側面部分３６ｆがあって、その側面部分３６ｆでは、トーションばね２７の第１端部２７ａが圧接して第１旋回子１５を時計方向Ｃ１に向かって付勢している。
【００２７】
図６においてはまた、拡径部３におけるカム部材８がその下端部分８ｂに圧接する一対のコイルばね２９によって図の上方に向かって付勢されている。カム部材８は、下端部分８ｂに第１カム部４０ｆを有し、その第１カム部４０ｆには、時計方向Ｃ１へ付勢されている第１旋回子１５の第１カムフォロワー部１５ｂが圧接可能である。
【００２８】
図６においてはさらにまた、カム部材８の頂部８ａを下方Ａ２に向かって押圧することによって垂直に下降したカム部材８の一部分が仮想線で示されている。コイルばね２９の付勢に抗して下降したカム部材８は、第１カム部４０ｆが第１旋回子１５の第１カムフォロワー部１５ｂを押圧して、第１旋回子１５を反時計方向Ｃ２へ旋回させて仮想線の状態にする。仮想線の第１旋回子１５では、第１ストッパー部１５ａが軸部２の内側に退却して、第１ストッパー部１５ａと第２部材３２における第２透孔３２ａの周縁部との当接が解ける。
【００２９】
図７は、図２のＶＩＩ−ＶＩＩ線断面図である。図７は図６に似た図であるが、図７には第１旋回子１５ではなくて第２旋回子１６の全体形状が見えている。第２旋回子１６は、第１旋回子１５と同一形状を有する板状のものであって、下端部分３３ｒ、上端部分３４ｒ、側面部分３６ｒ、第２ストッパー部１６ａ、第２カムフォロワー部１６ｂを有し、板面が第１旋回子１５の板面と対抗するように配置されている。図６においての時計方向Ｃ１は、図７において図示の方向となる。すなわち、第２旋回子１６が時計方向へ旋回するというときには、第２旋回子１６が図７における矢印Ｃ１の示す方向へ旋回することを意味している。その第２旋回子１６は、時計方向Ｃ１と反時計方向Ｃ２とに旋回し得るように支軸７に支えられ、トーションばね２７の第２端部２７ｂによって、反時計方向Ｃ２（図１参照）に向かって付勢され、第２ストッパー部１６ａが第２部材３２における第２透孔３２ａの周縁部に圧接している。拡径部３のカム部材８は、下端部分８ｂに第２カム部４０ｒを有する。第２カム部４０ｒには、反時計方向Ｃ２へ付勢されている第２旋回子１６の第２カムフォロワー部１６ｂが圧接可能である。
【００３０】
図７においてもまた、コイルばね２９の付勢に抗して下降したカム部材８の一部分が仮想線で示されている。下降したカム部材８は、第２カム部４０ｒが第２旋回子１６の第２カムフォロワー部１６ｂを押圧し、第２旋回子１６を時計方向Ｃ１へ旋回させて仮想線の状態にする。仮想線の第２旋回子１６では、第２ストッパー部１６ａが軸部２の内側に退却して、第２ストッパー部１６ａと第２部材３２との当接が解ける。
【００３１】
図示例において、第１部材３１の第１透孔３１ａと、第２部材３２の第２透孔３２ａとは、径方向Ｂの寸法が軸部２の径方向Ｂの寸法よりも大きく、かつ、拡径部３の径方向Ｂの寸法よりも小さく作られている。押しボタン式のカム部材８をコイルばね２９の付勢に抗して押圧して、軸部２の第１旋回子１５と第２旋回子１６とが図６，７の仮想線の状態となり、第１ストッパー部１５ａと第２ストッパー部１６ａとが軸部２の内側に退却しているときには、軸部２を第１部材３１と第２部材３２とから抜き取り、ファスナ１を第１，第２部材３１，３２から外すことができ、必要ならばそのファスナ１を再度使用することができる。
【００３２】
ファスナ１を使用して第１部材３１と第２部材３２とを重ね合せた状態に保つための操作は、次のようにする。すなわち、自然状態にあるファスナ１は、図１の形状のファスナ１に近似したものであって、第１旋回子１５は、時計方向Ｃ１へのばね付勢下にあって第１ストッパー部１５ａが第１スリット１１ａを通って軸部２の外側へ突出している。また、第２旋回子１６は、反時計方向Ｃ２へのばね付勢下にあって、第２ストッパー部１６ａが第２スリット１２ａを通って軸部２の外側へ突出している。この状態のファスナ１における軸部２を図１に仮想線で示されている第１部材３１の第１透孔３１ａと第２部材３２の第２透孔３２ａとに挿通すると、第１旋回子１５は第１ストッパー部１５ａにおける下縁１５ｄが第１部材３１の第１透孔３１ａの周縁部に圧接し、第２旋回子１６は第２ストッパー部１６ａにおける下縁１６ｄが第１透孔３１ａの周縁部に圧接して、第１旋回子１５が反時計方向Ｃ２へ旋回して軸部２の内側に退却する一方、第２旋回子１６が時計方向Ｃ１へ旋回して軸部２の内側に退却することにより、軸部２の第１，第２透孔３１ａ，３２ａに対する挿通が可能になる。拡径部３が第１部材３１に当接するときには、第１，第２ストッパー部１５ａ,１６ａがトーションばね２７の付勢作用によって軸部２の外側へ出て、図１に実線で例示の如く、第１，第２部材３１，３２を重なり合った状態に維持することができる。
【００３３】
図８は、ファスナ１の使用態様の一例を示す図４と同様な図である。ただし、ファスナ１は、第１部材３１における第１透孔３１ａにのみ挿通されていて、第２部材３２における第２透孔３２ａには未だ挿通されていない。その第１部材３１では、第１透孔３１ａの周縁部の一部分に上方Ａ１に向かっての一対の起立部４１が径方向Ｂにおいて対向するように形成され、その起立部４１がファスナ１における拡径部３に形成された一対の凹部９のそれぞれに収容されている。一対の起立部４１の上端部４１ａそれぞれは、凹部９の底面部分９ａに圧接することによって拡径部３を径方向Ｂにおいて狭持している。それゆえ、第１透孔３１ａに挿通されたファスナ１は、第１透孔３１ａの内側で揺れ動くことがなく、軸部２を第２透孔３２ａへ挿通するときの作業に手間がかかるということがない。このように作用する一対の起立部４１は、上端部４１ａどうしの離間寸法を凹部９における底面部分９ａどうしの間の寸法よりも僅かに小さくすることによって得ることができる。
【００３４】
この発明において、ファスナ１を使用して重ね合せる部材は、第１部材３１と第２部材３２との二つであることに限定されるわけではない。第１部材３１と第２部材３２との間に少なくとも一つの部材を介在させ、これら部材のすべてをファスナ１によって重ね合せることも可能である。また、ファスナ１における軸部２は、図示例の角筒状のものであることに限定されるわけではない。円筒状の軸部を使用してこの発明を実施することも可能である。さらにはまた、第１旋回子１５と第２旋回子１６とに対する付勢が、図示例の如く一つのトーションばね２７によって提供されることに代えて、個別に作られた第２ばねと第３ばねとのそれぞれによって提供されていてもよい。カム部材８を付勢するためのコイルばね２９は、その個数が図示例の２個（図６，７参照）に限定されるものではなく、１個であってもよいし、３個以上であってもよい。
【符号の説明】
【００３５】
１    ファスナ
２    軸部
３    拡径部
３ａ    周面
４    一端部（上端部）
６    対向端部（下端部）
７    支軸
８    カム部材
９    凹部
１５    第１旋回子
１５ａ    第１ストッパー部
１５ｂ    第１カムフォロワー部
１６    第２旋回子
１６ａ    第２ストッパー部
１６ｂ    第２カムフォロワー部
２７    第２、第３ばね（トーションばね）
２９    第１ばね（コイルばね）
３１    第１部材
３１ａ    第１透孔
３２    第２部材
３２ａ    第２透孔
Ａ    長さ方向（上下方向）
Ｂ    径方向
Ｃ１    時計方向
Ｃ２    反時計方向
【図１】
2014081031.tif 000003
【図２】
2014081031.tif 000004
【図３】
2014081031.tif 000005
【図４】
2014081031.tif 000006
【図５】
2014081031.tif 000007
【図６】
2014081031.tif 000008
【図７】
2014081031.tif 000009
【図８】
2014081031.tif 000010